(57)【特許請求の範囲】
【請求項１】
便器に洗浄水を供給し且つ手洗い吐水を省略した使用状態と省略しない使用状態に変更可能な洗浄水タンク装置であって、
外装タンクと、
この外装タンクの内側に配置され便器に供給する洗浄水を貯水する内装タンクと、
この内装タンクに給水する給水部と、
上記給水部からの給水を上記内装タンクへ吐水する吐水管と、
上記外装タンクに着脱自在に固定され、手洗い吐水を省略した使用状態と省略しない使用状態に応じて取り換え可能な外蓋であって、この外蓋の上面に形成され且つ手洗い吐水を省略しない使用状態のときに使用する手洗い鉢と、手洗い吐水を省略しない使用状態のときに上記給水部から分岐した給水を上記手洗い鉢に吐水する手洗い吐水管と、を備えた上記外蓋と、
上記手洗い吐水を省略しない使用状態のときに、上記給水部と上記手洗い吐水管とを接続し、上記給水部から分岐した給水を上記手洗い吐水管へ導水する導水管と、
上記内装タンクに取り付けられ、手洗い吐水を省略しない使用状態のときに上記外蓋の手洗い吐水管から手洗い鉢に吐水された洗浄水を受けて上記内装タンク内へ吐水する水受け部と、この水受け部に一体的に結合され且つ、上記手洗い吐水を省略した使用状態のときに、上記導水管の下流側端部が接続され、上記内装タンクへと導水する非手洗い吐水用導水管接続部と、を備えた結合部材と、
を有することを特徴とする洗浄水タンク装置。
【請求項２】
更に、上記内装タンクの水位が規定以上の水位に達したときに、上記内装タンク内の洗浄水を便器に排水するオーバーフロー管と、上記吐水管から分岐した補給水を上記オーバーフロー管へ導水して上記便器へ供給する補給水管と、を有し、上記結合部材は、更に、上記補給水管の下流側端部が接続され、且つ上記補給水管から供給された補給水を上記オーバーフロー管内へ吐水する補給水管接続部を備え、この補給水管接続部は、上記結合部材の水受け部に一体的に結合されている請求項１に記載の洗浄水タンク装置。
【請求項３】
更に、上記内装タンク内に貯水されている水位を検知する水位検知センサを有し、上記結合部材は、更に、上記水位検知センサが取り付けられる水位検知センサ取付部を備え、上記結合部材の水位検知センサ取付部は、上記結合部材の水受け部に一体的に結合されている請求項１又は２に記載の洗浄水タンク装置。
【請求項４】
上記補給水管接続部の補給水を吐水する補給水口は、上記オーバーフロー管の上方に位置するように形成され、
上記結合部材の水受け部は、上記内装タンクの前壁部の上端に取り付けられる前壁側取付部と、上記内装タンクの後壁部の上端に取り付けられる後壁側取付部と、上記内装タンクの上端の横幅方向の所定位置で上記内装タンクの前壁部と後壁部とを架け渡すように上記前壁側取付部から上記後壁側取付部まで延びる架橋部と、を備え、この架橋部の底面は、上記結合部材の補給水管接続部の補給水口に対して上方に位置する頂部と、この頂部から上記内装タンクの前壁部側に向って下り傾斜する前壁側傾斜部と、上記頂部から上記内装タンクの後壁部側に向って下り傾斜する後壁側傾斜部と、を備えている請求項２に記載の洗浄水タンク装置。
【請求項５】
上記給水部は、上記補給水管が下流側に接続されている上記吐水管と上記導水管のそれぞれに分岐して給水し、上記外蓋の手洗い吐水管は、上記手洗い吐水を省略しない使用状態のときに上記導水管が接続され且つ上記結合部材の非手洗い吐水用導水管接続部よりも上方に位置する手洗い吐水用導水管接続部を備え、上記結合部材の非手洗い吐水用導水管接続部の流路径は、上記手洗い吐水管の手洗い吐水用導水管接続部の流路径よりも小さく設定されている請求項２に記載の洗浄水タンク装置。
【請求項６】
更に、上記内装タンク上端に取り付けられ、内装タンクの上方を覆う内蓋を有し、この内蓋は、その上面における上記手洗い鉢の吐水口と対向する所定箇所から下方に位置する上記結合部材の水受け部に向って形成され且つ上記手洗い吐水管から上記手洗い鉢に吐水された洗浄水を上記結合部材の水受け部に導水する導水部を備えている請求項１乃至５のいずれか１項に記載の洗浄水タンク装置。
【請求項７】
更に、上記内装タンク上端に取り付けられ、内装タンクの上方を覆う内蓋を有し、この内蓋は、その上面における上記手洗い鉢の吐水口と対向する所定箇所から下方に位置する上記結合部材の水受け部に向って形成され且つ上記手洗い吐水管から上記手洗い鉢に吐水された洗浄水を上記結合部材の水受け部に導水する導水部を備え、上記水位検知センサは、フロートスイッチであり、上記内蓋は、上記フロートスイッチの上方の所定位置に通気口が形成されている請求項３に記載の洗浄水タンク装置。
【発明の詳細な説明】
【技術分野】
【０００１】
本発明は、洗浄水タンク装置に係り、特に、便器に洗浄水を供給し且つ手洗い吐水を省略した使用状態と省略しない使用状態とに変更可能な洗浄水タンク装置に関する。
【背景技術】
【０００２】
従来、便器に洗浄水を供給する洗浄水タンク装置においては、手洗い吐水を行う場合には、手洗い吐水を行う場合のみに使用される手洗い吐水用の洗浄水タンク装置（例えば、特許文献１参照）を用意し、手洗い吐水を行わない場合には、手洗い吐水を行わない場合のみに使用される非手洗い吐水用の洗浄水タンク装置を用意することにより、２つの製品をそれぞれ用意している。
【０００３】
したがって、手洗い吐水用と非手洗い吐水用のそれぞれの洗浄水タンク装置の使用形態に応じて、洗浄水タンク内に設けられる給水装置等の関連部品についても、洗浄水タンク装置のそれぞれの仕様に適用させるために異なる部品を用意している。
【０００４】
さらに、特に、手洗い吐水用の洗浄水タンク装置においては、手洗い吐水管から吐水された洗浄水を受ける水受け部材を洗浄水タンクに別途取り付け、手洗い吐水管から吐水された洗浄水を水受け部材を介して洗浄水タンク内に供給することにより、手洗い吐水管からの洗浄水を洗浄水タンク内に直接落水させないようにしている。
【先行技術文献】
【特許文献】
【０００５】
【特許文献１】特開２００２−１６７８３３号公報
【発明の概要】
【発明が解決しようとする課題】
【０００６】
しかしながら、従来の洗浄水タンク装置においては、上述したように、手洗い吐水用と非手洗い吐水用の洗浄水タンク装置のそれぞれの使用形態に応じて、それぞれの異なる仕様の洗浄水タンク装置の関連部品を用意しなければならないため、部品点数が増大し、これらの部品の在庫管理へのコストもかかるという問題がある。
また、異なる部品点数が増えると、その分、洗浄水タンク装置に関する組立工程やメンテナンス等も複雑になる。
さらに、特に、手洗い吐水用の洗浄水タンク装置においては、手洗い吐水管から吐水された洗浄水を受ける水受け部材を洗浄水タンクに別途取り付ける分だけ、組立工程も増えて複雑になるという問題がある。
【０００７】
そこで、本発明は、上述した従来技術の問題点を解決するためになされたものであり、手洗い吐水を省略した使用状態と省略しない使用状態にかかわらず、製造組立時における組立工程を共通化させることができ、生産効率を向上させることができる洗浄水タンク装置を提供することを目的としている。
【課題を解決するための手段】
【０００８】
上記の目的を達成するために、本発明は、便器に洗浄水を供給し且つ手洗い吐水を省略した使用状態と省略しない使用状態に変更可能な洗浄水タンク装置であって、外装タンクと、外装タンクの内側に載置され便器に供給する洗浄水を貯水する内装タンクと、この内装タンクに給水する給水部と、上記給水部からの給水を上記内装タンクへ吐水する吐水管と、上記外装タンクに着脱自在に固定され、手洗い吐水を省略した使用状態と省略しない使用状態に応じて取り換え可能な外蓋であって、この外蓋の上面に形成され且つ手洗い吐水を省略しない使用状態のときに使用する手洗い鉢と、手洗い吐水を省略しない使用状態のときに上記給水部から分岐した給水を上記手洗い鉢に吐水する手洗い吐水管と、を備えた上記外蓋と、上記手洗い吐水を省略しない使用状態のときに、上記給水部と上記手洗い吐水管とを接続し、上記給水部から分岐した給水を上記手洗い吐水管へ導水する導水管と、上記内装タンクに取り付けられ、手洗い吐水を省略しない使用状態のときに上記外蓋の手洗い吐水管から手洗い鉢に吐水された洗浄水を受けて上記内装タンク内へ吐水する水受け部と、この水受け部に一体的に結合され且つ、上記手洗い吐水を省略した使用状態のときに、上記導水管の下流側端部が接続され、上記内装タンクへと導水する非手洗い吐水用導水管接続部と、を備えた結合部材と、を有することを特徴としている。
このように構成された本発明においては、結合部材により水受け部と非手洗い吐水用導水管接続部が互いに一体的に結合されているため、手洗い吐水を省略した使用状態と省略しない使用状態に関わらず、結合部材を共通部材として用いることができる。この結果、手洗い吐水を省略しない使用状態のときには、導水管により給水部と手洗い吐水管とが接続され、給水部から分岐した給水が導水管を経て手洗い吐水管へ導水され、この手洗い吐水管から手洗い鉢へ吐水された洗浄水が結合部材の水受け部で受けられた後、内装タンク内へ吐水させることができる。一方、手洗い吐水を省略した使用状態のときには、導水管により給水部と結合部材の非手洗い吐水用導水管接続部とが接続され、給水部から分岐した給水が導水管を経て結合部材の非手洗い吐水用導水管接続部へ導水された後、内装タンク内へ吐水させることができる。また、手洗い吐水を省略した使用状態と省略しない使用状態にかかわらず、共通な結合部材を用いることができることにより、製造組立時における内装タンクへの結合部材の組み付け工程を共通化させることができると共に、取付け作業の工程数を減少させることができ、生産効率を向上させることができる。さらに、内装タンク内における水受け部と非手洗い吐水用導水管接続部の配置が結合部材によって特定箇所に集約されているため、メンテナンスの際に外装タンクから外蓋を取り外した状態では、結合部材の水受け部と非手洗い吐水用導水管接続部が作業者の目につきやすく、結合部材の状態を容易に確認することができる。また、結合部材の中に水受け部と非手洗い吐水用導水管接続部を一体的に設けることにより、比較的狭い内装タンク内に水受け部と非手洗い吐水用導水管接続部のそれぞれをコンパクトに配置することができ、内装タンク内の結合部材以外のスペースを広く確保してメンテナンスの際の作業スペースを広く確保することができ、内装タンク内のメンテナンスが容易になる。
【０００９】
本発明において、好ましくは、更に、上記内装タンクの水位が規定以上の水位に達したときに、上記内装タンク内の洗浄水を便器に排水するオーバーフロー管と、上記吐水管から分岐した補給水を上記オーバーフロー管へ導水して上記便器へ供給する補給水管と、を有し、上記結合部材は、更に、上記補給水管の下流側端部が接続され、且つ上記補給水管から供給された補給水を上記オーバーフロー管内へ吐水する補給水管接続部を備え、この補給水管接続部は、上記結合部材の水受け部に一体的に結合されている。
このように構成された本発明においては、結合部材の補給水管接続部と水受け部が互いに一体的に結合されているため、製造組立時における内装タンクへの結合部材の組み付け工程を共通化させることができると共に、取付け作業の工程数を減少させることができ、生産効率を向上させることができる。また、内装タンク内における補給水管接続部と水受け部の配置が結合部材によって特定箇所に集約されているため、メンテナンスの際に洗浄水タンクから外蓋を取り外した状態では、結合部材の水受け部と補給水管接続部が作業者の目につきやすく、結合部材の状態を容易に確認することができる。さらに、結合部材の中に補給水管接続部と水受け部を一体的に設けることにより、比較的狭い内装タンク内に補給水管接続部と水受け部のそれぞれをコンパクトに配置することができ、内装タンク内の結合部材以外のスペースを広く確保してメンテナンスの際の作業スペースを広く確保することができ、内装タンク内のメンテナンスが容易になる。
【００１０】
本発明において、好ましくは、更に、上記内装タンク内に貯水されている水位を検知する水位検知センサを有し、上記結合部材は、更に、上記水位検知センサが取り付けられる水位検知センサ取付部を備え、上記結合部材の水位検知センサ取付部は、上記結合部材の水受け部に一体的に結合されている。
このように構成された本発明においては、結合部材の水位検知センサ取付部と水受け部が互いに一体的に結合されているため、製造組立時において水位検知センサを結合部材の水位検知センサ取付部に容易に取り付けることができる。また、水位検知センサを取り付けた状態で、結合部材を内装タンクに取り付けるだけで、水位検知センサを内装タンク内の所定位置に容易に取り付けることができ、製造組立時における水位検知センサの取付工程を簡略化させることができる。さらに、内装タンク側に水位検知センサの取付部を設ける必要がなくなるため、内装タンクの形状をシンプルにすることができる。
【００１１】
本発明において、好ましくは、上記補給水管接続部の補給水を吐水する補給水口は、上記オーバーフロー管の上方に位置するように形成され、上記結合部材の水受け部は、上記内装タンクの前壁部の上端に取り付けられる前壁側取付部と、上記内装タンクの後壁部の上端に取り付けられる後壁側取付部と、上記内装タンクの上端の横幅方向の所定位置で上記内装タンクの前壁部と後壁部とを架け渡すように上記前壁側取付部から上記後壁側取付部まで延びる架橋部と、を備え、この架橋部の底面は、上記結合部材の補給水管接続部の補給水口に対して上方に位置する頂部と、この頂部から上記内装タンクの前壁部側に向って下り傾斜する前壁側傾斜部と、上記頂部から上記内装タンクの後壁部側に向って下り傾斜する後壁側傾斜部と、を備えている。
このように構成された本発明においては、内装タンクの上端の横幅方向の所定位置で内装タンクの前壁部と後壁部とを架け渡すように前壁側取付部から後壁側取付部まで延びる架橋部により、例えば、変形しやすい樹脂製の内装タンクを採用している場合には、内装タンクの上端が歪まないように補強することができる。また、架橋部の底面の頂部が結合部材の補給水管接続部の補給水口に対して上方に位置し、この頂部から前壁側傾斜部と後壁側傾斜部に下り傾斜させることにより、結合部材の水受け部の高さ寸法を抑えることができ、洗浄水タンク装置全体をコンパクトにすることができる。
【００１２】
本発明において、好ましくは、上記給水部は、上記補給水管が下流側に接続されている上記吐水管と上記導水管のそれぞれに分岐して給水し、上記外蓋の手洗い吐水管は、上記手洗い吐水を省略しない使用状態のときに上記導水管が接続され且つ上記結合部材の非手洗い吐水用導水管接続部よりも上方に位置する手洗い吐水用導水管接続部を備え、上記結合部材の非手洗い吐水用導水管接続部の流路径は、上記手洗い吐水管の手洗い吐水用導水管接続部の流路径よりも小さく設定されている。
このように構成された本発明においては、手洗い吐水管の導水管接続部が結合部材の非手洗い吐水用導水管接続部よりも上方に位置していても、結合部材の非手洗い吐水用導水管接続部の流路径が、手洗い吐水管の手洗い吐水用導水管接続部の流路径よりも小さく設定しているため、手洗い吐水を省略しない使用状態のときに導水管から手洗い吐水管の手洗い吐水用導水管接続部の流路を流れる際の圧力損失と、手洗い吐水を省略した使用状態のときに導水管から結合部材の非手洗い吐水用導水管接続部の流路を流れる際の圧力損失とをほぼ等しくすることができる。これにより、給水部から吐水管と導水管のそれぞれに分岐して給水しても、導水管を手洗い吐水管の手洗い吐水用導水管接続部に接続した場合、或いは、導水管を結合部材の非手洗い吐水用導水管接続部に接続した場合にかかわらず、圧力損失の変動を抑制することができるため、吐水管の下流側の補給水管における補給水量のばらつきを抑制することができる。
【００１３】
本発明において、好ましくは、更に、上記内装タンク上端に取り付けられ、内装タンクの上方を覆う内蓋を有し、この内蓋は、その上面における上記手洗い鉢の吐水口と対向する所定箇所から下方に位置する上記結合部材の水受け部に向って形成され且つ上記手洗い吐水管から上記手洗い鉢に吐水された洗浄水を上記結合部材の水受け部に導水する導水部を備えている。
このように構成された本発明においては、内装タンク上端に取り付けられ、内装タンクの上方を覆う内蓋により、洗浄水が内装タンク内に供給された際に洗浄水が内蓋よりも上方に跳ね上がるのを防ぐと共に、内装タンクと内蓋との内部で発生した音が外部へ漏れるのを低減させることもできる。また、外蓋を取り外した状態で内装タンクの内部へのいたずらを内蓋により防止することもできる。さらに、内蓋に形成された導水部により、手洗い鉢から吐水された洗浄水を結合部材の水受け部に確実に導水させることができ、内蓋の導水部から結合部材の水受け部へ落水する際に発生する落水音を低減させることができる。
【００１４】
本発明において、好ましくは、更に、上記内装タンク上端に取り付けられ、内装タンクの上方を覆う内蓋を有し、この内蓋は、その上面における上記手洗い鉢の吐水口と対向する所定箇所から下方に位置する上記結合部材の水受け部に向って形成され且つ上記手洗い吐水管から上記手洗い鉢に吐水された洗浄水を上記結合部材の水受け部に導水する導水部を備え、上記水位検知センサは、フロートスイッチであり、上記内蓋は、上記フロートスイッチの上方の所定位置に通気口が形成されている。
このように構成された本発明においては、フロートスイッチの上方の内蓋の所定位置に形成された通気口により、フロートスイッチの周囲の通気性を向上させることができ、洗浄水タンク内の湿気がフロートスイッチの周囲にたまるのを防ぐことができる。したがって、湿気によるフロートスイッチの故障を防ぐことができる。
【発明の効果】
【００１５】
本発明洗浄水タンク装置によれば、手洗い吐水を省略した使用状態と省略しない使用状態にかかわらず、製造組立時における組立工程を共通化させることができ、生産効率を向上させることができる。
【図面の簡単な説明】
【００１６】
【図１】本発明の一実施形態による洗浄水タンク装置が適用される水洗便器の概略断面図である。
【図２】本発明の一実施形態による手洗い吐水を省略した使用状態の洗浄水タンク装置の内部構造を背面から見た概略斜視図である。
【図３】本発明の一実施形態による洗浄水タンク装置の排水弁装置を斜め上方より見た斜視図である。
【図４】本発明の一実施形態による洗浄水タンク装置の排水弁装置における収納部材及びガイド部材を示す上面図である。
【図５】本発明の一実施形態による洗浄水タンク装置を示す部分正面断面図である。
【図６】本発明の一実施形態による洗浄水タンク装置において外蓋を取り外した状態を示す平面図である。
【図７】図６のＶＩＩ−ＶＩＩ線に沿って見た断面図である。
【図８】図２のＶＩＩＩ−ＶＩＩＩ線に沿って見た断面図である。
【図９】本発明の一実施形態による結合部材を斜め上方より見た斜視図である。
【図１０】図９のＸ−Ｘ線に沿って見た断面図である。
【図１１】本発明の一実施形態よる手洗い吐水を省略しない使用状態の洗浄水タンク装置を示す側面断面図である。
【図１２】本発明の一実施形態による手洗い吐水を省略しない使用状態の洗浄水タンク装置の内部構造を背面側から見た概略斜視図である。
【図１３】本発明の一実施形態による洗浄水タンク装置における排水弁装置の弁体の動作を概略的に説明した図である。
【発明を実施するための形態】
【００１７】
以下、添付図面を参照して、本発明の一実施形態による手洗い吐水を省略した使用状態の洗浄水タンク装置の構成について説明する。
図１は、本発明の一実施形態による洗浄水タンク装置が適用される水洗便器の概略断面図であり、図２は、本発明の一実施形態による手洗い吐水を省略した使用状態の洗浄水タンク装置の内部構造を背面から見た概略斜視図である。
【００１８】
図１に示すように、符号１は水洗便器を示し、この水洗便器１の上部の前方側には、ボウル部２が形成され、後方側の上部には導水路４が、導水路４の下方にはボウル部２と連通する排水トラップ管路６が、それぞれ形成されている。
【００１９】
水洗便器１のボウル部２の上縁部にはオーバーハング形状のリム８が形成され、このリム８に導水路４から洗浄水が供給される１つ又は２つのリム吐水口１０が形成され、洗浄水が旋回しながら下降してボウル部２を洗浄できるようになっている。また、ボウル部２の中心下部には、導水路４から洗浄水が供給されるジェット吐水口１２が形成され、このジェット吐水口１２から洗浄水が排水トラップ管路６に向けて吐水され、サイホンを短時間で発生させるようになっている。
【００２０】
水洗便器１の導水路４の上方には、洗浄水を貯留する本実施形態による洗浄水タンク装置１４が設けられている。
この洗浄水タンク装置１４は、洗浄水タンクの形状の中でも比較的縦方向に長い形状である、いわゆる、ハイシルエットタイプ形状の外枠を形成する外装タンク１６を備えている。この外装タンク１６の底面１６ａには、後述する内装タンク２８の排水口１６ｂが貫通するように形成されている。
【００２１】
つぎに、図１及び図２により、まず、手洗い吐水を省略した使用状態の洗浄水タンク装置１４について説明する。
図１及び図２に示すように、本実施形態の洗浄水タンク装置１４は、陶器製の外装タンク１６と、蓋ユニット１８と、排水弁装置２０と、操作装置２２と、給水装置２４と、プラスチック等からなる合成樹脂製の結合部材２６と、を備えている。
【００２２】
外装タンク１６は、いわゆる、ハイシルエットタイプの洗浄水タンクであり、外装タンク１６の上端の位置の高さが、いわゆる、比較的横方向に長いローシルエットタイプの洗浄水タンクよりも高く設定されている。この外装タンク１６の内側には、洗浄水が貯留される樹脂製の内装タンク２８が設けられており、この内装タンク２８も、比較的縦長形状のハイシルエット形状となっている。
内装タンク２８の底面２８ａには、水洗便器１の導水路４に連通する排水口１６ｂが形成されている。この内装タンク２８内には、排水弁装置２０、操作装置２２、給水装置２４、結合部材２６が設けられている。また、内タンク２８の外側には、断熱材２９が設けられている。
【００２３】
また、図２に示すように、内装タンク２８内の満水時の水位（最高水位）がＷＬ１で示されており、内装タンク２８内の止水時の水位がＷＬ２で示されているが、内装タンク２８においては、その満水時の水位ＷＬ１（図２参照）が、ローシルエットタイプの洗浄水タンクにおける満水時の水位よりも高い水位まで貯水することができるようになっている。
また、詳細は後述する排水弁装置２０の弁体４０が排水口１６ｂを閉止して、水洗便器１への洗浄水の供給を停止するときの内装タンク２８内の止水水位ＷＬ２（図２参照）についても、ローシルエットタイプの洗浄水タンクの止水水位よりも高い水位まで残っており、ローシルエットタイプの洗浄水タンクよりも洗浄水量を低減させた場合であっても、高い洗浄水圧で、十分な洗浄能力を確保することができるようになっている。
【００２４】
図１に示すように、蓋ユニット１８は、非手洗い吐水用の外蓋３０及び内蓋３２を備えている。
詳細は後述する内蓋３２は、内装タンク２８の上端に結合部材２６が取り付けられた状態で、内装タンク２８の上方の開口と結合部材２６の上方を覆うように、結合部材２６と外蓋３０との間に取り付けられている。
【００２５】
また、外蓋３０は、手洗い吐水を省略した使用状態のときに、内装タンク２８に取り付けられた内蓋３２を覆うように外装タンク１６の上端に着脱自在に固定されている。
また、外蓋３０は、手洗い吐水を省略した使用状態のときに外装タンク１６の上端に設置されるものであるため、外蓋３０の上面には、手洗い吐水を省略しない使用状態のときに用いられる手洗い鉢や、この手洗い鉢に吐水する吐水管は設けられておらず、ほぼ平らな平面状に形成されている。外蓋３０は、外装タンク１６と同一の陶器等の耐水性の材料で作られている。
【００２６】
つぎに、図２〜図４により、本実施形態による洗浄水タンク１４の排水弁装置２０について説明する。
図３は、本発明の一実施形態による洗浄水タンク装置の排水弁装置を斜め上方より見た斜視図であり、図４は、本発明の一実施形態による洗浄水タンク装置の排水弁装置における収納部材及びガイド部材を上方より見た上面図である。
【００２７】
排水弁装置２０は、内装タンク２８内の洗浄水を水洗便器１に供給する装置であり、ベース部材３４と、支持部材３６と、オーバーフロー管３８と、弁体４０と、ガイド部材４２と、収納部材４４とを備えている。
【００２８】
まず、ベース部材３４は、内装タンク２８の底面２８ａに取り付けられて排水口１６ｂを形成し、この排水口１６ｂと水洗便器１の導水路４とを連通させている。
ベース部材３４は、排水口１６ｂの上端部に形成されて弁体４０が当接可能な弁座４６を備えている。弁座４６は、弁体４０が最低位置まで下降した際に、弁体４０が上方から密接して排水口１６ｂを密閉できるようになっている。
なお、ベース部材３４と内装タンク２８については、弁座４６が内装タンク２８の底面２８ａと一体に形成されるような形態でもよい。 
【００２９】
支持部材３６は、ベース部材３４から上方に延びるように設けられており、保持部３６ａと支持部３６ｂを備えている。
保持部３６ａは、ベース部材３４の四隅に設けられて且つ上方に所定長さ延びた柱状の部材であり、その上端で収納部材４４をベース部材３４に対して所定の上方位置に保持している。
また、支持部３６ｂは、ベース部材３４から上方に所定長さ延びた柱状の部材であり、保持部３６ａによってベース部材３４に対して所定の上方位置に保持された収納部材４４の基部４４ａを下側から支持している。
さらに、収納部材４４が、保持部３６ａ及び支持部３６ｂによって所定の上方位置に保持された状態では、収納部材４４とベース部材３４との間に、内装タンク２８内の洗浄水を排水口１６ｂに導く導水路４７を形成している。
【００３０】
つぎに、オーバーフロー管３８は、その下端部に位置し且つ内装タンク２８の排水口１６ｂと対向する下端開口部３８ａから、上方に位置する上端開口部３８ｂにかけてほぼ円筒状に延びている管部材であり、ガイド部材４２によって上下方向に摺動可能に保持されている。
オーバーフロー管３８は、その外面を周方向に沿って等間隔に四等分した箇所において、この外周面から半径方向外側に突出すると共に上下方向に延びた凸部３８ｃを備えている。
【００３１】
そして、内装タンク２８内の洗浄水の水位が満水時の水位ＷＬ１を超えてさらに上昇し、オーバーフロー管３８の上端開口部３８ｂの高さ位置を上回ってオーバーフローした際には、このオーバーフローした洗浄水がオーバーフロー管３８の上端開口部３８ｂから下端開口部３８ａを経て内装タンク２８の排水口１６ｂから水洗便器１側に排水されるようになっている。
なお、本実施形態では、一例として、オーバーフロー管３８が上下方向に摺動することにより、排水口１６ｂを開閉することができるようになっているような形態について説明しているが、このような形態に限定されず、オーバーフロー管３８の代わりに、特に、オーバーフロー管としての機能を備えていない単純な管部材を適用してもよいし、中実の棒部材のようなものを適用してもよい。また、棒部材を適用する場合には、後述する補給水によるリフィルの機能を使用しないように設定される。
【００３２】
また、オーバーフロー管３８は、後述する結合部材２６の補給水管接続部７８の補給水口１２２ａの下方に設置されている。したがって、弁体４０が排水口１６ｂを閉止した後も、補給水接続部７８からの補給水が、水洗便器１への補給水（洗浄後のリフィル給水）として、オーバーフロー管３８の上端開口部３８ｂから下端開口部３８ａを経て内装タンク２８の排水口１６ｂから水洗便器１側に排水されるようになっている。
【００３３】
さらに、オーバーフロー管３８は、上端開口部３８ｂ下方に側方に突出する玉鎖取付部３８ｄを備え、オーバーフロー管３８を上下動させるための操作装置２２から延びる玉鎖４８がオーバーフロー管３８の玉鎖取付部３８ｄに取り付けられている。
【００３４】
弁体４０は、オーバーフロー管３８の下端開口部３８ａの外周から外側に向かって固着された円環状のシール部材であり、オーバーフロー管３８と一体に固定されているので、操作装置２２の操作に応じてオーバーフロー管３８と一体的に上昇又は下降するようになっている。オーバーフロー管３８が内装タンク２８内で最低位置まで下降した際には、弁体４０は、弁座４６に当接して停止し、オーバーフロー管３８の下端部と共に弁座４６と密着して内装タンク２８の排水口１６ｂを密閉する排水弁として機能することができるようになっている。
なお、弁体４０は、弁座４６と密着するように、ゴムや樹脂等の可撓性材料によって形成されている。
【００３５】
つぎに、ガイド部材４２は、上下方向にほぼ円筒状に延びるオーバーフロー管３８の一部の外側を取り囲むように、収納部材４４の上面から上方に延びて形成される。ガイド部材４２には、オーバーフロー管３８の一部が摺動可能に挿入されており、オーバーフロー管３８の上下移動を垂直方向に対する横ずれや傾きが生じないようにガイドするようになっている。
具体的には、ガイド部材４２は、その内面の周方向に沿って等間隔に四等分した箇所において内側に凹む４つの凹部４２ａを上下方向に形成している。この各凹部４２ａがオーバーフロー管３８のそれぞれの凸部３８ｃと対向するように形成されているため、オーバーフロー管３８がガイド部材４２に対して上下動する際に、垂直方向に対する横ずれや傾きが生じたり、オーバーフロー管３８の長手方向の中心軸線回りの回転が生じたりするのを抑制している。したがって、弁体４０を確実に収納部材４４の中心に上昇及び下降させることが可能となる。
【００３６】
図３及び図４に示すように、収納部材４４は、ガイド部材４２の下方に設けられ、弁体４０が所定以上の上昇位置まで引き上げられたときに、弁体４４の上方側及び外周側を取り囲んで収納するものである。
この収納部材４４は、支持部材３６により支持される基部４４ａと、上方から見てほぼ円形形状の上面部４４ｂと、上面部４４ｂの外周から下方に延びてほぼ円筒状に形成された側面部４４ｃとを備えている。
収納部材４４の基部４４ａは、支持部材３６により、ベース部材３４から所定距離上方の位置にほぼ水平な状態で固定されている。
【００３７】
収納部材４４の上面部４４ｂは、弁体４０が基部４４ａよりも上方の位置まで引き上げられたときに、弁体４０の上方側を取り囲んでいる。
また、収納部材４４の側面部４４ｃは、弁体４０が基部４４ａよりも上方の位置まで引き上げられたときに、弁体４０の外周側を取り囲んでいる。さらに、弁体４０が最も上昇した状態では、弁体４０が収納部材４４の上面部４４ｂに接触することなく近接するようになっている。
【００３８】
収納部材４４の側面部４４ｃは、その内径が弁体４０の外径よりもわずかに大きく形成されており、弁体４０が基部４４ａよりも上方の位置まで引き上げられたときに、収納部材４４の側面部４４ｃと弁体４０の外周との間にわずかな隙間が形成されるようになっている。
【００３９】
また、図３及び図４に示すように、収納部材４４の上面部４４ｂには、収納部材４４の上面部４４ｂの中心（中心軸線）Ａに対して対称な位置に８つの開口５２が形成されている。
さらに、図３及び図４に示すように、収納部材４４の側面部４４ｃには、収納部材４４の上面部４４ｂの中心Ａに対して対称な位置に８つの開口５４が形成されている。
【００４０】
つぎに、図２及び図５を参照して、操作装置２２について説明する。図５は、本発明の一実施形態による洗浄水タンク装置を示す部分正面断面図である。
図２及び図５に示すように、操作装置２２は、操作レバー２２ａ、回転軸２２ｂ、及び、回転駆動装置２２ｃを備えており、回転駆動装置２２ｃは、回転軸２２ｂを回転させるための電動モータ等の駆動装置であり、洗浄水タンク１６の上方外側に配置されている。
【００４１】
また、回転軸２２ｂは、その基端部が回転駆動装置２２ｃに保持され、この基端部から先端部にかけてほぼ水平に延びている。
さらに、回転軸２２ｂの先端部には操作レバー２２ａが固定されており、回転駆動装置２２ｃの駆動により所定の回転角度の範囲内で回転軸２２ｂと操作レバー２２ａが一体に回転し、操作レバー２２ａの回転方向に応じて、操作レバーに取付けられた玉鎖４８が上昇又は下降するので、玉鎖４８の取付けられたオーバーフロー管３８が上昇又は下降移動するようになっている。
【００４２】
つぎに、給水装置２４の詳細について説明する。
図２に示すように、給水装置２４は、給水管５６、給水バルブ５８、分岐部６０、吐水管６２、補給水管６６、吐水口６８、及び導水管７０を備えている。
給水管５６は、上流側給水管５６ａと下流側給水管５６ｂを備えており、上流側給水管５６ａの上流側端部は外部の水道等の給水源（図示せず）に接続され、上流側給水管５６ａの下流側端部は、給水バルブ５８に接続されている。
また、下流側給水管５６ｂの上流側端部は、給水バルブ５８に接続され、下流側給水管５６ｂの下流側端部は、分岐部６０に接続されている。
【００４３】
給水バルブ５８は、電磁バルブからなり、洗浄水タンク１６内の水位を検知するフロートスイッチ７２からなる水位センサの水位検知情報に基づいて操作装置２２のコントローラ（図示せず）からの指令により給水バルブ５８の開閉動作が制御され、給水装置２４の吐水口６８から内装タンク２８内への洗浄水の給水又は止水が切り替えられるようになっている。
【００４４】
分岐部６０は、下流側給水管５６ｂに接続され、手洗い吐水を省略しない使用状態のときに、分岐部６０の下流側に接続された吐水管６２を経て吐水口６８から内装タンク２８内へ供給する給水及び吐水管６２の下流側に接続された補給水管６６へ供給する給水と、分岐部６０の下流側に接続された導水管７０に供給する給水とに分岐することができるようになっている。
分岐部６０に接続された吐水管６２は、ほぼ水平方向に延びている。
また、分岐部６０に接続された導水管７０は、フレキシブルホース等の可撓性の管部材からなり、分岐部６０からほぼ上方に所定距離延びた後、結合部材２６に向って緩やかに曲げられ、導水管７０の下流側端部が、後述する結合部材２６の非手洗い吐水用導水管保持部８０に接続されている。
さらに、分岐部６０は、給水管５６から給水される洗浄水を吐水管６２及び導水管７０に管内径の比率等によって所定の割合に分けて給水するようになっている。
【００４５】
補給水管６６は、吐水管６２に接続された上流側端部から水平よりやや上向きに延びており、下流側端部には、補給水管バルブ７６が設けられている。
この補給水管６６の補給水管バルブ７６は、結合部材２６の補給水管接続部７８に接続されており、吐水管６２から分岐した補給水は、補給水管６６から補給水管バルブ７６を経て結合部材２６の補給水管接続部７８へ供給されるようになっている。
また、補給水管バルブ７６は、その内部にニードル弁（図示せず）が内蔵され、そのニードル弁により補給水管６６の下流側における流路径を調整できるように構成されている。したがって、施工業者が水洗便器１の設置環境等に応じて、その流路径を調整することで補給水口１２２ａから供給される補給水の流量を調整することができる。
【００４６】
なお、本実施形態においては、一例として、補給水管６６の下流側端部に補給水管バルブ７６を設けた形態について説明しているが、このような形態に限定されず、補給水管バルブ７６を省略し、補給水管６６の下流側端部が結合部材２６の補給水管接続部７８に直接的に接続された形態にしてもよい。
【００４７】
つぎに、図５〜図７により、内蓋３２の詳細について説明する。
図６は、本発明の一実施形態による洗浄水タンク装置において外蓋を取り外した状態を示す平面図であり、図７は、図６のＶＩＩ−ＶＩＩ線に沿って見た断面図である。
【００４８】
図５〜図７に示すように、内蓋３２は、プラスチック等の耐水性の材料で作られ、内装タンク２８の上方の開口部分をほぼ全体的に覆うように、内装タンク２８の上縁に着脱自在に固定されている。
内蓋３２には、第１手洗い用導水路８２、第２手洗い用導水路８４、フロートスイッチ用通気口８６、補給水管バルブ用開口８８、及び結露水排水口９０が形成されている。
【００４９】
第１手洗い用導水路８２は、後述する結合部材２６の水受け部９２の後壁側傾斜部１００と対向している。そして、手洗い吐水を省略しない使用状態において、洗浄水タンク装置１４の外蓋２０２に設けた手洗い鉢２１０を使用し、手洗い吐水を行った場合に、手洗い鉢２１０の吐水口２１４から吐水された洗浄水が、第１手洗い用導水路８２を経て結合部材２６の水受け部９２に吐水されるようになっている。
【００５０】
一方、第２手洗い用導水路８４は、後述する結合部材２６の水受け部９２の前壁側傾斜部９８と対向し、手洗い吐水を省略しない使用状態において、洗浄水タンク装置１４の外蓋２０２とは異なる形態の手洗い鉢を使用して手洗い吐水を行う場合に、手洗い鉢の吐水口から吐水された洗浄水を第２手洗い用導水路８４を経て結合部材２６の水受け部９２に吐水させるためのものである。したがって、本実施形態では、手洗い吐水を省略した使用状態と省略しない使用状態にかかわらず、第２手洗い用導水路８４は使用されない。
【００５１】
また、内蓋３２の上面におけるフロートスイッチの上方には、フロートスイッチ用通気口８６が形成されている。
さらに、内蓋３２の上面には補給水管バルブ用開口８８が形成され、この補給水管バルブ用開口８８から補給水管バルブ７６が上方に貫くように延びている。
また、内蓋３２の上面には、複数の結露水排水口９０が形成され、これらの結露水排水口９０により、内蓋３２と外蓋３０の間で発生した結露による結露水が、外蓋３０の裏面から内蓋３２の上面に滴下したとしても、この結露水排水口９０を経て内装タンク２８内に排水されるようになっている。
【００５２】
つぎに、図２及び図７〜図１０により、結合部材２６の詳細について説明する。
図８は、図２のＶＩＩＩ−ＶＩＩＩ線に沿って見た拡大部の断面図であり、図９は、本発明の一実施形態による結合部材を斜め上方より見た斜視図であり、図１０は、図９のＸ−Ｘ線に沿って見た断面図である。
【００５３】
図２及び図７〜図１０に示すように、結合部材２６は、水受け部９２と、非手洗い吐水用導水管接続部８０と、補給水管接続部７８と、水位検知センサ取付部９４とを備えている。
【００５４】
本実施形態による手洗い吐水を省略しない使用状態の洗浄水タンク装置１４の詳細については、図１１及び図１２を用いて後述するが、結合部材２６の水受け部９２は、手洗い吐水を省略しない使用状態の場合に、後述する手洗い吐水管であるスパウト２１２から手洗い鉢２１０に吐水された洗浄水を下流で受けて内装タンク２８内へ導水するようになっている。
【００５５】
また、結合部材２６の水受け部９２は、内装タンク２８の前壁２８ｂの上端に沿ってほぼ中央の所定位置に取り付けられる前壁側取付部９２ａと、内装タンク２８の後壁２８ｃの上端に沿ってほぼ中央の所定位置に取り付けられる後壁側取付部９２ｂを備えている。
さらに、結合部材２６の水受け部９２は、内装タンク２８の前壁２８ｂ及び後壁２８ｃの上端に沿ってほぼ中央の所定位置において、内装タンク２８の前壁２８ｂと後壁２８ｃとを架け渡すように前壁側取付部９２ａから後壁側取付部９２ｂまで延びる架橋部９２ｃを備えている。
【００５６】
また、水受け部９２の架橋部９２ｃの底面は、後述する結合部材２６の補給水管接続部７８の補給水口１２２ａに対して上方に位置する頂部９６と、この頂部９６から内装タンク２８の前壁２８ｂ側に向って下り傾斜する前壁側傾斜部９８と、頂部９６から内装タンク２８の後壁２８ｃ側に向って下り傾斜する後壁側傾斜部１００を備えている。
さらに、水受け部９２の架橋部９２ｃの後壁側傾斜部１００の傾斜は、前壁側傾斜部９８の傾斜よりも急な傾斜となっている。
【００５７】
特に、図９に示すように、結合部材２６の水受け部９２は、前壁１０２、後壁１０４、側壁１０６及び側壁１０８を備えている。
前壁１０２の下方には、ほぼ四角形状の前側吐水口１１０が形成されており、後壁１０４の下方には、ほぼ四角形状の後側吐水口１１２が形成されている。
【００５８】
側壁１０６及び側壁１０８は、架橋部９２ｃの頂部９６、前壁側傾斜部９８及び後壁側傾斜部１００の両側を延びるように形成している。また、洗浄水タンク装置１４が手洗い吐水を省略しない使用状態のときに、手洗い鉢２１０側から架橋部９２ｃ内に流れ落ちてきた洗浄水は、これらの側壁１０６，１０８により、架橋部９２ｃの側方側へ溢れ出ないように堰き止められる共に、前壁側傾斜部９８に沿って水受け部９２の前側吐水口１１０から内装タンク２８内に吐水されるか、或いは、後壁側傾斜部１００に沿って水受け部９２の後側吐水口１１２から内装タンク２８内に吐水されるようになっている。
さらに、側壁１０８は、非手洗い吐水用導水管接続部８０と、補給水管接続部７８と、水位検知センサ取付部９４と一体的に結合されている。
【００５９】
つぎに、図２、図９及び図１０を参照して、非手洗い吐水用導水管接続部８０について説明する。
図２、図９及び図１０に示すように、結合部材２６の非手洗い吐水用導水管接続部８０は、本実施形態の洗浄水タンク装置１４が手洗い吐水を省略した使用状態のときに、導水管７０の下流側端部７０ａが接続される導水管接続部本体１１４と、この導水管接続部本体１１４の下流側に一体に形成される導水部１１６を備えている。
【００６０】
導水管接続部本体１１４は、ほぼ円筒状に形成され、導水管接続部本体１１４の外径は、導水管７０の管路の内径とほぼ等しくなるように設定されている。
また、導水管接続部本体１１４の内側は、下流側の導水路１１６と連通し、ほぼ円筒状の通水路１１８を形成している。
さらに、導水管接続部本体１１４は、導水管７０の下流側端部７０ａの管路７０ｂに挿入されて、導水管接続部本体１１４の外周が導水管７０に覆われた状態で導水管７０と連結している。したがって、導水管７０の管路７０ｂと非手洗い吐水用導水管接続部８０の導水部１１６とは、導水管接続部本体１１４の通水路１１８により、互いが連通している。
【００６１】
導水管接続部本体１１４の先端部１１４ａは、その先端から所定長さ下流側の基端に向って徐々に外径が大きくなっており導水管７０の下流側端部を導水管接続部本体１１４に接続する際に、導水管７０の下流側端部に導水管接続部本体１１４を挿入しやすくなっており、導水管７０と導水管接続部本体１１４が一旦接続された状態になると、導水管７０が導水管接続部本体１１４に強固に保持されて抜けにくくなっている。
【００６２】
導水部１１６は、水受け部９２及び導水管接続部１１４と一体に形成されている。
また、導水部１１６は、底面１１６ａを備えており、内部を通水させる矩形の通水路を形成している。
【００６３】
図２、図７及び図９に示すように、結合部材２６の補給水管接続部７８は、補給水管バルブ７６が接続される補給水管接続部本体１２０と、この補給水管接続部本体１２０の下流側に配置された補給水導水部１２２を備えている。
また、補給水導水部１２２は、下方に延びて補給水を導水する導水路を形成し、この導水路の下流側端部には、補給水口１２２ａが形成されている。
さらに、補給水導水部１２２の補給水口１２２ａは、オーバーフロー管３８の上端開口部３８ｂの開口領域内に配置されており、
補給水管接続保持部１２０から補給水導水部１２２内に流入した補給水は、補給水口１２２ａからオーバーフロー管３８を経て水洗便器１に導水されるようになっている。
【００６４】
図２、図５及び図９に示すように、結合部材２６の水位検知センサ取付部９４は、内装タンク２８内の洗浄水の水位を検知する水位検知センサであるフロートスイッチ７２が取り付けられる部分であり、水受け部９２及び補給水管接続部７８に一体的に結合されている。
また、水位検知センサ取付部９４には、フロートスイッチ７２が挿入されて取り付けられる開口９４ａが形成されている。
さらに、結合部材２６の水位検知センサ取付部９４は、内装タンク２８内の上方のほぼ中央付近に配置されるようになっている。
【００６５】
また、本実施形態の洗浄水タンク装置１４においては、例として、結合部材２６がプラスチック等の合成樹脂等により一体成形され、水受け部９２、導水管接続部８０、補給水管接続部７８及び水位検知センサ取付部９４の複数の部分を互いに一体的に結合させた形態について説明したが、このような形態に限定されず、これらの複数の部分のうちのいくつかを一体的に結合させてもよい。
【００６６】
つぎに、図１１及び図１２を参照して、本発明の一実施形態による手洗い吐水を省略しない使用状態の洗浄水タンク装置の構成について説明する。
図１１は、本発明の一実施形態による手洗い吐水を省略しない使用状態の洗浄水タンク装置を示す側面断面図であり、図１２は、本発明の一実施形態による手洗い吐水を省略しない使用状態の洗浄水タンク装置の内部構造を背面側から見た概略斜視図である。
ここで、図１１及び図１２に示す本実施形態による手洗い吐水を省略しない使用状態の洗浄水タンク装置において、上述した手洗い吐水を省略した使用状態の洗浄水タンク装置の部分と同一の部分については同一の符号を付し、これらの説明については省略し、異なる部分のみについて説明する。
【００６７】
図１１及び図１２に示すように、本発明の一実施形態による手洗い吐水を省略しない使用状態の洗浄水タンク装置１４においては、手洗い吐水用の外蓋２０２が、手洗い吐水を省略した使用状態の洗浄水タンク装置１４の外蓋３０の代わりに外装タンク１６に取り付けられている。この外蓋２０２は、その上面に形成された手洗い鉢２１０と、この手洗い鉢２１０の後方側に設けられ且つ導水管７０に接続され、手洗い鉢２１０に吐水する手洗い吐水管であるスパウト２１２を備えている。
【００６８】
手洗い鉢２１０は、鉢形状（ボウル形状）に形成され、その底部に手洗い鉢吐水口２１４が形成されている。
また、手洗い鉢吐水口２１４は、下方に延びて内蓋３２の第１手洗い用導水路８２に接続されている。
さらに、スパウト２１２の吐水口２１２ｂから手洗い鉢２１０に吐水された洗浄水は、手洗い鉢吐水口２１４から内蓋３２の第１手洗い用導水路８２に流入し、結合部材２６の水受け部９２の架橋部９２ｃの後壁側傾斜部１００に沿って流れ、水受け部９２の後側吐水口１１２から内装タンク２８内に吐水されるようになっている。
【００６９】
なお、本実施形態の手洗い吐水を省略した使用状態の洗浄水タンク装置１４においては、例として、内蓋３２に対する手洗い鉢２１０の手洗い鉢吐水口２１４の配置上、手洗い鉢吐水口２１４と内蓋３２の第１手洗い用導水路８２とが連通するような形態について説明するが、このような形態に限定されず、内蓋３２に対する手洗い鉢吐水口２１４の配置を変更し、手洗い鉢吐水口２１４と内蓋３２の第２手洗い用導水路８４とを連通させるような形態にしてもよい。
【００７０】
図１１に示すように、スパウト２１２の上流側端部には、導水管７０の下流側端部７０ａが接続される導水管接続部２１２ａが設けられている。
すなわち、図１２に示すように、手洗い吐水を省略しない使用状態の導水管７０においては、手洗い吐水を省略した使用状態の下流側端部７０ａが結合部材２６の非手洗い吐水用導水管接続部８０から取り外され、導水管７０の下流側端部の接続先が、結合部材２６の非手洗い吐水用導水管接続部８０よりも上方に位置しているスパウト２１２の導水管接続部２１２ａに切り換えられて接続されている。
したがって、手洗い吐水を省略しない使用状態の導水管７０は、結合部材２６の導水管接続部８０には接続されていないため、導水管接続部８０には給水が行われない状態となる。
【００７１】
つぎに、図１０及び図１１に示すように、結合部材２６の導水管接続部８０の導水管接続部本体１１４内における流路径ｄ１は、手洗い吐水を省略しない使用状態の導水管７０が接続されるスパウト２１２の導水管接続部２１２ａの流路径ｄ２よりも小さくなるように設定されている。
【００７２】
つぎに、図１〜図１０及び図１３を参照して、本発明の一実施形態による手洗い吐水を省略した使用状態の洗浄水タンク装置の動作（作用）について説明する。
図１３は、本発明の一実施形態による洗浄水タンク装置における排水弁装置の弁体の動作を概略的に説明した図である。ここで、図１３においては、弁体４０が最も上昇して排水口１６ｂを開放している状態における弁体４０の高さ位置をｈ１で示し、弁体４０が収納部材４４の下端の高さ位置を通過する際の弁体４０の高さ位置をｈ２で示し、弁体４０が最も下降して排水口１６ｂを閉止している状態の高さ位置をｈ３で示している。
【００７３】
まず、図１３に示すように、使用者が水洗便器１を使用後、水洗便器１に設けられている便器使用者を検知する人体検知センサ（図示せず）からの信号、或いは、水洗便器１の洗浄操作を指令する操作ボタン（図示せず）を使用者が操作した信号が操作装置２２内のコントローラ（図示せず）に送られ、回転駆動装置２２ｃの作動が開始する。そして、回転駆動装置２２ｃが作動すると、回転軸２２ｂと共に操作レバー２２ａが所定方向に回転し、この操作レバー２２ａに取り付けられている玉鎖４８が引き上げられ、オーバーフロー管３８の玉鎖取付部３８ｄが引き上げられる。このとき、オーバーフロー管３８は、ガイド部材４２によって、オーバーフロー管３８の上下移動を垂直方向に対する横ずれや傾きが生じないようにガイドされながらガイド部材４２に対して上昇する。また、弁体４０は、オーバーフロー管３８の下端部に固着されているため、オーバーフロー管３８の上昇に伴って弁体４０も上昇する。
【００７４】
弁体４０が、最上位の高さ位置ｈ１まで引き上げられると、回転駆動装置２２ｃの作動が停止される。このとき、弁体４０上方側及び外周側は、収納部材４４によって取り囲まれて収納されている。
【００７５】
そして、弁体４０が内装タンク２８の排水口１６ｂを開放している間、内装タンク２８の排水口１６ｂから洗浄水が水洗便器１の導水路４に排水され、この導水路４内の洗浄水が水洗便器１のリム吐水口１０から吐水され、水洗便器１の洗浄が行われる。
【００７６】
その後、操作装置２２は、所定時間経過後、或いはセンサ等の信号を受けたとき、再び回転駆動装置２２ｃの作動を開始し、回転軸２２ｂと共に操作レバー２２ａが所定方向に回転し、玉鎖４８が引き下げられ、オーバーフロー管３８の玉鎖取付部３８ｄが下降を開始する。
弁体４０が下降を開始すると、内装タンク２８内の洗浄水が、収納部材４４の上面及び側面に形成された複数の開口５２，５４から、収納部材４４と弁体４０との間の内部領域Ｒに流入する。
【００７７】
なお、図１３においては、収納部材４４の上面の開口５２から収納部材４４の内部領域Ｒに流入する流れをＦ１で示している。
同様に、収納部材４４の側面の開口５４から収納部材４４の内部領域Ｒに流入する流れをＦ２で示している。
【００７８】
ここで、収納部材４４の内部領域Ｒにおいて、特に、最上位の高さ位置ｈ１の弁体４０の上面と収納部材４４の上面との間の領域、及び、最上位の高さ位置ｈ１の弁体４０の外周側側面と収納部材４４の側面との間の内部領域Ｒにおいては、仮に収納部材４４の開口５２，５４が設けられていない状態を想定した場合には、弁体４０が最上位の高さ位置ｈ１から下降が開始する際に、弁体４０を上昇させる方向に作用する負圧が発生していることになる。
【００７９】
また、図１３において、収納部材４４内の弁体４０が下降して収納部材４４から抜け出すときの弁体４０の高さ位置をｈ２で示すと、仮に収納部材４４の開口５２，５４が設けられていない状態を想定した場合には、弁体４０が高さ位置ｈ１から下降して高さ位置ｈ２で収納部材４４の内部から下方へ抜け出すと同時に、上述した弁体４０を上昇させる方向に作用する負圧が瞬間的に消滅する。
しかしながら、本実施形態では、弁体４０の下降時に、収納部材４４の外側から収納部材４４の開口５２，５４を介して弁体４０と収納部材４４との間の内部領域Ｒに容易に水を侵入させることができるため、弁体４０と収納部４４との間の内部領域Ｒで弁体４０を上昇させる方向に作用する負圧を抑制することができる。
【００８０】
さらに、本実施形態の洗浄水タンク装置１４の内装タンク２８は、比較的縦方向に長いハイシルエットタイプ形状であり、内装タンク２８内の止水水位ＷＬ２が、上昇時の弁体４０の高さ位置ｈ１よりも高くなるように設定されており、弁体４０が高さ位置ｈ１から下降し、弁体４０が高さ位置ｈ２で収納部材４４の内部から下方へ抜け出す際には、内装タンク２８内にも比較的多くの洗浄水量が残されているため、この洗浄水量に相当する水圧が比較的大きな水圧として弁体４０に作用することになる。
したがって、このような内装タンク２８内に残されている洗浄水の比較的大きな水圧によって、弁体４０と収納部４４との間の内部領域Ｒで弁体４０を上昇させる方向に作用する負圧は生じにくく、たとえ、このような負圧が弁体４０に作用していたとしても、弁体４０が高さ位置ｈ２で収納部材４４の内部から下方へ抜け出す際に、弁体４０に作用する負圧が瞬間的に消滅して、弁体４０を急激に下降させるような水圧が弁体４０に作用することは起こらなくなる。
この結果、弁体４０が高さ位置ｈ２から下降して高さ位置ｈ３で排水口１６ｂを閉止するまでには、弁体４０は、内装タンク２８内に残されている洗浄水の水圧を受けながら、弁体４０はほぼ一定の速度で安定した状態で下降することになる。
【００８１】
さらに、弁体４０の閉止時には、弁体４０及びオーバーフロー管３８が弁座４６に比較的低い速度で当接するため、このときに発生する閉止音も抑制される。
【００８２】
つぎに、弁体４０が排水口１６ｂを閉止した止水後、操作装置２２のコントローラ（図示せず）からの指令により、給水装置２４の給水バルブ５８が開弁し、給水装置２４の吐水口６８から内装タンク２８内への洗浄水の給水が行われ、再び内装タンク２８内の水位が止水水位ＷＬ２から次第に上昇する。
また、給水装置２４の給水バルブ５８が開弁すると、同時に、分岐部６０から導水管７０に洗浄水が導水される。
さらに、導水管７０に供給された洗浄水は、手洗い吐水を省略した使用状態においては、導水管７０から結合部材２６の非手洗い吐水用導水管接続部８０の導水管接続部本体１１４に導水される。このとき、導水管接続部本体１１４の流路径ｄ１は導水管７０の内径よりも小さく形成されているため、導水管７０から導水管接続部本体１１４の流路に流入した洗浄水については、圧力損失を受けて、流量が低下する。
【００８３】
また、導水管接続部本体１１４から導水部１１６に流入した洗浄水は、図８に矢印で示した水の流れのように、導水部１１６の底面１１６ａに沿って、内装タンク２８の後壁２８ｃ側に差し向けられ、導水部１１６から内装タンク２８内の後方側へ流出するか、或いは、その導水部１１６から流出した洗浄水の少なくとも一部が内装タンク２８の後壁２８ｃに沿って流下し、洗浄水が内装タンク２８内に直接的に落水するときよりも、洗浄水の落水音を抑制することができる。
【００８４】
このとき、分岐部６０から吐水管６２に導水された洗浄水のうちの一部の洗浄水が、補給水として、補給水管６６を通過して結合部材２６の補給水管接続部７８へ導水される。
そして、補給水管接続部７８の補給水管接続保持部１２０に流入した洗浄水（補給水）は、補給水導水部１２２を経て、補給水口１２２ａからオーバーフロー管３８内に流入する。
また、オーバーフロー管３８内を流下した補給水は、排水口１６ｂから導水路４に排水され、水洗便器１のリム吐水口１０から吐水されて、水洗便器１に供給される。この補給水の補給によってサイホン作用の発生によって減少した溜水を補給（リフィル）することができる。
【００８５】
さらに、内装タンク２８内の水位が満水時の水位ＷＬ１に達すると、内装タンク２８内の水位ＷＬ１を検知したフロートスイッチ７２からの信号に基づいて、操作装置２２が給水装置２４に指令を出し、その指令により給水装置２４の給水バルブ５８が閉弁し、給水装置２４の吐水口６８から内装タンク２８内への洗浄水の給水が停止される。
【００８６】
つぎに、図１〜図１２を参照して、本発明の一実施形態による手洗い吐水を省略しない使用状態の洗浄水タンク装置の動作（作用）について説明する。
ここで、上述した本発明の一実施形態による手洗い吐水を省略した使用状態の洗浄水タンク装置の動作（作用）の部分と同一の部分については説明を省略し、異なる動作（作用）の部分のみについて説明する。
なお、図１１及び図１２に示すように、手洗い吐水を省略した使用状態の洗浄水タンク装置１４においては、手洗い吐水を省略しない使用状態の洗浄水タンク装置１４の非手洗い吐水用の外蓋３０の代わりに、手洗い吐水用の外蓋２０２が外装タンク１６に取り付けられており、導水管７０がスパウト２１２の導水管接続部２１２ａに接続されている。
【００８７】
水洗便器１への洗浄水の排水動作が完了した後、操作装置２２のコントローラ（図示せず）からの指令により、給水装置２４の給水バルブ５８が開弁し、給水装置２４の吐水管６２の吐水口６８から内装タンク２８内への洗浄水の給水が行われ、再び内装タンク２８内の水位が次第に上昇する。
給水装置２４の給水バルブ５８が開弁すると、同時に、給水装置２４の分岐部６０から導水管７０に洗浄水が導水される。導水管７０に供給された洗浄水は、導水管７０から上方に位置するスパウト２１２の導水管接続部２１２ａを経てスパウト２１２に導水される。このとき、スパウト２１２の導水管接続部２１２ａが結合部材２６の非手洗い吐水用導水管接続部８０よりも上方に位置しているため、給水装置２４の分岐部６０から導水管７０を経てスパウト２１２に至る流路内においては、洗浄水が上昇する流れとなっており、この上昇して流れる洗浄水は、圧力損失を受けた状態となっている。
【００８８】
しかしながら、スパウト２１２の導水管接続部２１２ａが結合部材２６の非手洗い吐水用導水管接続部８０よりも上方に位置していても、結合部材２６の非手洗い吐水用導水管接続部８０の流路径ｄ１が、スパウト２１２の導水管接続部２１２ａの流路径ｄ２よりも小さく設定しているため、手洗い吐水を省略しない使用状態のときに分岐部６０からスパウト２１２の導水管接続部２１２ａまでの流路を流れる際の圧力損失と、手洗い吐水を省略した使用状態のときに分岐部６０から結合部材２６の非手洗い吐水用導水管接続部８０までの流路を流れる際の圧力損失との双方の圧力損失がほぼ等しくなっている。
【００８９】
つぎに、手洗い鉢２１０に吐水された洗浄水は、手洗い鉢吐水口２１４より手洗い鉢排水管２１６に流入し、手洗い鉢排水管２１６内を垂直に落下して、内蓋３２の第１手洗い用導水路８２内に流れる。
内蓋３２の第１手洗い用導水路８２に流下した洗浄水は、第１手洗い用導水路８２によって、第１手洗い用導水路８２の下方に位置する結合部材２６の水受け部９２の架橋部９２ｃの後壁側傾斜部１００に導水される。
そして、この後壁側傾斜部１００の洗浄水は、図７及び図１１に示すように、後壁側傾斜部１００の下り傾斜した底面に沿って流下し、結合部材２６の後側吐水口１１２から内装タンク２８内の後方側へ流出するか、或いは、後側吐水口１１２から流出した洗浄水の少なくとも一部が内装タンク２８の後壁２８ｃに沿って流下し、洗浄水が内装タンク２８内に直接的に落水するときよりも、洗浄水の落水音を抑制することができる。
【００９０】
このとき、分岐部６０から吐水管６２に導水された洗浄水のうちの一部の洗浄水が、補給水として、補給水管６６を通過して結合部材２６の補給水管接続部７８へ導水される。
このとき、結合部材２６の非手洗い吐水用導水管接続部８０の流路径ｄ１が、スパウト２１２の導水管接続部２１２ａの流路径ｄ２よりも小さく設定しているため、手洗い吐水を省略しない使用状態のときに分岐部６０からスパウト２１２の導水管接続部２１２ａまでの流路を流れる際の圧力損失と、手洗い吐水を省略した使用状態のときに分岐部６０から結合部材２６の非手洗い吐水用導水管接続部８０までの流路を流れる際の圧力損失とがほぼ等しくなっている。
この結果、給水装置２４の分岐部６０から吐水管６２と導水管７０のそれぞれに分岐して給水しても、手洗い吐水を省略しない使用状態のときに導水管７０をスパウト２１２の導水管接続部２１２ａに接続した場合、或いは、手洗い吐水を省略した使用状態のときに導水管７０を結合部材２６の非手洗い吐水用導水管接続部８０に接続した場合にかかわらず、圧力損失の変動を抑制することができる。したがって、吐水管６２の下流側の補給水管６６における補給水量のばらつきを抑制することができ、
補給水口１２２ａから補給水をオーバーフロー管３８に安定して供給し、排水口１６ｂから水洗便器１のボウル部２内の溜水に安定した補給水を供給することができる。
【００９１】
さらに、内装タンク２８内の水位が満水時の水位ＷＬ１に達すると、内装タンク１２内の水位ＷＬ１を検知したフロートスイッチ７２からの信号に基づいて、操作装置２２が給水装置２４に指令を出し、その指令により給水装置２４の給水バルブ５８が閉弁し、給水装置の導水管７０の接続する手洗い吐水管からの手洗い鉢２１０への吐水、及び給水装置２４の吐水口６８から内装タンク２８内への洗浄水の給水が停止される。
【００９２】
上述した本発明の一実施形態による洗浄水タンク装置１４の排水弁装置２０によれば、収納部材４４の上面及び側面にそれぞれ複数形成された開口５２，５４により、弁体４０の上昇時（開弁時）には、弁体４０と収納部材４４との間の水を収納部材４４の外部へ逃がすことができる。
一方、弁体４０の下降時（閉弁時）には、収納部材４４の外側から収納部材４４の開口５２，５４を介して弁体４０と収納部材４４との間の内部領域Ｒに容易に水を侵入させることができる。この結果、弁体４０と収納部４４との間の内部領域Ｒで弁体４０を上昇させる方向に作用する負圧を抑制することができると共に、このような負圧が、収納部材４４内の弁体４０が下降して収納部材４４から抜け出す際に瞬間的に消滅するのを抑制することができる。
また、このような負圧の瞬間的な消滅によって弁体４０を急激に下降させるような水圧が弁体４０に作用することを抑制することができるため、閉弁動作時に下降中の弁体４０が急激な勢いで下降して排水口１６ｂを閉止した際に発生する閉止音を低減させることができる。
さらに、上述した負圧の瞬間的な消滅によって発生した水圧による弁体４０への負荷や弁体４０自体の変形を抑制することができるため、閉止時の弁体４０が排水口１６ｂを確実に閉止することができると共に、弁体４０自体の耐久性を向上させることができる。
また、収納部材４４の開口５２，５４を介して収納部材４４の内部と内装タンク２８内とが連通することにより、弁体４０の上昇時にも、収納部材４４内の水が開口５２，５４から収納部材４４の上下方向と水平方向に比較的自由に出入りできるため、弁体４０が収納部材４４に対してスムーズに上昇することができると共に、弁体４０への負荷や弁体４０自体の変形を抑制することができる。したがって、操作装置２２の回転駆動装置２２ｃにおいて、回転軸２２ｂの駆動により弁体４０の引き上げに要する力やトルクを低減させることができ、操作装置２２による弁体４０の操作性を容易にすることができる。この結果、操作装置２２の回転駆動装置２２ｃの駆動装置の消費電力を低減させることができる。
【００９３】
また、本実施形態による洗浄水タンク装置１４の排水弁装置２０によれば、収納部材４４の複数の開口５２，５４が収納部材４４の上面部４４ｂの中心Ａに対して対称に配置されていることにより、下降時（閉弁時）の弁体４０が収納部材４４から下降して抜け出す際に、収納部材４４内で発生する比較的大きな水圧による弁体への負荷をバランス良く解消することができる。この結果、下降中の弁体４０が傾くことなく、弁体４０の確実な閉弁動作を実現することができると共に、弁体４０自体の変形をさらに効果的に抑制することができる。
【００９４】
上述した本発明の一実施形態による洗浄水タンク装置１４によれば、結合部材２６により水受け部９２と非手洗い吐水用導水管接続部８０が互いに一体的に結合されているため、手洗い吐水を省略した使用状態と省略しない使用状態に関わらず、結合部材２６を共通部材として用いることができる。この結果、手洗い吐水を省略しない使用状態のときには、導水管７０により給水装置２４の分岐部６０とスパウト２１２とが接続され、給水装置２４の分岐部６０から分岐した給水が導水管７０を経てスパウト２１２へ導水され、このスパウト２１２から手洗い鉢２１０へ吐水された洗浄水が結合部材２６の水受け部９２で受けられた後、内装タンク２８内へ吐水させることができる。
一方、手洗い吐水を省略した使用状態のときには、導水管７０により給水装置２４の分岐部６０と結合部材２６の非手洗い吐水用導水管接続部８０とが接続され、給水装置２４の分岐部６０から分岐した給水が導水管７０を経て結合部材２６の非手洗い吐水用導水管接続部８０へ導水された後、内装タンク２８内へ吐水させることができる。
また、手洗い吐水を省略した使用状態と省略しない使用状態にかかわらず、共通な結合部材２６を用いることができることにより、製造組立時における内装タンク２８への結合部材２６の組み付け工程を共通化させることができると共に、取付け作業の工程数を減少させることができ、生産効率を向上させることができる。
さらに、内装タンク２８内における水受け部９２と非手洗い吐水用導水管接続部８０の配置が結合部材２６によって特定箇所に集約されているため、メンテナンスの際に外装タンク１６から外蓋３０を取り外した状態では、結合部材２６の水受け部９２と非手洗い吐水用導水管接続部８０が作業者の目につきやすく、結合部材２６の状態を容易に確認することができる。
また、結合部材２６の中に水受け部９２と非手洗い吐水用導水管接続部８０を一体的に設けたことにより、比較的狭い内装タンク２８内に水受け部９２と非手洗い吐水用導水管接続部８０のそれぞれをコンパクトに配置することができ、内装タンク２８内の結合部材２６以外のスペースを広く確保してメンテナンスの際の作業スペースを広く確保することができ、内装タンク２８内のメンテナンスが容易になる。
【００９５】
また、本実施形態による洗浄水タンク装置１４によれば、結合部材２６の補給水管接続部７８と水受け部９２が互いに一体的に結合されているため、製造組立時における内装タンク２８への結合部材２６の組み付け工程を共通化させることができると共に、取付け作業の工程数を減少させることができ、生産効率を向上させることができる。
さらに、内装タンク２８内における補給水管接続部７８と水受け部９２の配置が結合部材２６によって特定箇所に集約されているため、メンテナンスの際に洗浄水タンクから外蓋３０を取り外した状態では、結合部材２６の水受け部９２と補給水管接続部７８が作業者の目につきやすく、結合部材２６の状態を容易に確認することができる。
また、結合部材２６の中に補給水管接続部７８と水受け部９２を一体的に設けたことにより、比較的狭い内装タンク２８内に補給水管接続部７８と水受け部９２のそれぞれをコンパクトに配置することができ、内装タンク２８内の結合部材２６以外のスペースを広く確保してメンテナンスの際の作業スペースを広く確保することができ、内装タンク２８内のメンテナンスが容易になる。
【００９６】
さらに、本実施形態による洗浄水タンク装置１４によれば、結合部材２６の水位検知センサ取付部９４と水受け部９２が互いに一体的に結合されているため、製造組立時において水位検知センサであるフロートスイッチ７２を結合部材２６の水位検知センサ取付部９４に容易に取り付けることができる。
また、フロートスイッチ７２を結合部材２６の水位検知センサ取付部９４に取り付けた状態で、結合部材２６を内装タンク２８に取り付けるだけで、フロートスイッチ７２を内装タンク２８内の所定位置に容易に取り付けることができ、製造組立時におけるフロートスイッチ７２の取付工程を簡略化させることができる。
さらに、内装タンク２８側にフロートスイッチ７２の取付部を設ける必要がなくなるため、内装タンク２８の形状をシンプルにすることができる。
【００９７】
また、本実施形態による洗浄水タンク装置１４によれば、内装タンク２８の上端の横幅方向の所定位置で内装タンク２８の前壁２８ｂと後壁２８ｃとを架け渡すように、結合部材２６の水受け部９２の前壁側取付部９２ａから後壁側取付部９２ｂまで延びる架橋部９２ｃにより、変形しやすい樹脂製の内装タンク２８であっても、内装タンク２８の上端が歪まないように補強することができる。
さらに、架橋部９２ｃの底面の頂部９６が結合部材２６の補給水管接続部７８の補給水口１２２ａに対して上方に位置し、この頂部９６から前壁側傾斜部９８と後壁側傾斜部１００に下り傾斜させることにより、結合部材２６の水受け部９２の高さ寸法を抑えることができ、内装タンク全体をコンパクトにすることができる。
【００９８】
さらに、本実施形態による洗浄水タンク装置１４によれば、スパウト２１２の導水管接続部２１２ａが結合部材２６の非手洗い吐水用導水管接続部８０よりも上方に位置していても、結合部材２６の非手洗い吐水用導水管接続部８０の流路径ｄ１が、スパウト２１２の導水管接続部２１２ａの流路径ｄ２よりも小さく設定しているため、手洗い吐水を省略しない使用状態のときに導水管７０からスパウト２１２の導水管接続部２１２ａの流路を流れる際の圧力損失と、手洗い吐水を省略した使用状態のときに導水管７０から結合部材２６の非手洗い吐水用導水管接続部８０の流路を流れる際の圧力損失との双方をほぼ等しくすることができる。
また、給水装置２４の分岐部６０から吐水管６２と導水管７０のそれぞれに分岐して給水しても、手洗い吐水を省略しない使用状態のときに導水管７０をスパウト２１２の導水管接続部２１２ａに接続した場合、或いは、手洗い吐水を省略した使用状態のときに導水管７０を結合部材２６の非手洗い吐水用導水管接続部８０に接続した場合にかかわらず、圧力損失の変動を抑制することができるため、吐水管６２の下流側の補給水管６６における補給水量のばらつきを抑制することができる。
【００９９】
また、本実施形態による洗浄水タンク装置１４によれば、内装タンク２８の上方を覆うように結合部材２６と外蓋３０との間に取り付けられた内蓋３２により、洗浄水が内装タンク２８内に供給された際に洗浄水が内蓋３２よりも上方に跳ね上がるのを防ぐと共に、内装タンク２８と内蓋３２との内部で発生した音が外部へ漏れるのを低減させることもできる。
さらに、外蓋３０を取り外した状態の内装タンク２８の内部へのいたずらを内蓋３２により防止することもできる。
また、内蓋３２に形成された第１の手洗い用導水路８２により、手洗い鉢２１０から吐水された洗浄水を結合部材２６の水受け部９２に確実に導水させることができ、内蓋３２の第１の手洗い用導水路８２から結合部材２６の水受け部９２へ落水する際に発生する落水音を低減させることができる。
【０１００】
さらに、本実施形態による洗浄水タンク装置１４によれば、フロートスイッチ７２の上方の内蓋３２の所定位置に形成されたフロートスイッチ用通気口８６により、フロートスイッチ７２の周囲の通気性を向上させることができ、内装タンク２８内の湿気がフロートスイッチ７８の周囲にたまるのを防ぐことができる。したがって、湿気によるフロートスイッチ７２の故障を防ぐことができる。
【符号の説明】
【０１０１】
１    水洗便器
２    ボウル部
４    導水路
６    排水トラップ管路
８    リム
１０    リム吐水口
１２    ジェット吐水口
１４    洗浄水タンク装置
１６    洗浄水タンク本体
１６ａ  底面
１６ｂ  排水口
１８    蓋ユニット
２０    排水弁装置
２２    操作装置（操作部）
２４    給水装置（給水部）
２６    結合部材
２８    内装タンク
２８ａ  底面部
２８ｂ  前壁
２８ｃ  後壁
２９    断熱材
３０    外蓋
３２    内蓋
３４    ベース部材
３６    支持部材
３８    オーバーフロー管
３８ａ  オーバーフロー管の下端開口部
３８ｂ  オーバーフロー管の上端開口部
３８ｃ  オーバーフロー管の凸部
４０    弁体
４２    ガイド部材
４４    収納部材
４４ａ  基部
４４ｂ  上面部
４４ｃ  側面部
４６    弁座
４７    導水路
４８    玉鎖
５２    開口（上面開口部）
５４    開口（側面開口部）
５６    給水管
５８    給水バルブ
６０    分岐部
６２    吐水管
６６    補給水管
６８    吐水口
７０    導水管
７０ａ  導水管の下流側端部
７０ｂ  導水管の管路  
７２    フロートスイッチ
７６    補給水管バルブ
７８    補給水管接続部
８０    非手洗い吐水用導水管接続部
８２    第１手洗い用導水路
８４    第２手洗い用導水路
８６    フロートスイッチ用通気口
８８    補給水管バルブ用開口
９０    結露水排水口
９２    水受け部
９２ａ  前壁側取付部
９２ｂ  後壁側取付部
９２ｃ  架橋部
９４    水位検知センサ取付部
９６    水受け部の架橋部の頂部
９８    水受け部の架橋部の前壁側傾斜部
１００    水受け部の架橋部の後壁側傾斜部
１０２    水受け部の前壁
１０４    水受け部の後壁
１０６    水受け部の側壁
１０８    水受け部の側壁
１１０    水受け部の前側吐水口
１１２    水受け部の後側吐水口
１１４    非手洗い吐水用導水管接続部の導水管接続部本体
１１４ａ  非手洗い吐水用導水管接続部の導水管接続部本体の先端部
１１６    非手洗い吐水用導水管接続部の導水部
１１６ａ  非手洗い吐水用導水管接続部の導水部の底面
１１８    非手洗い吐水用導水管接続部の導水管接続部本体の通水路
１２０    補給水管接続部本体
１２２    補給水導水部
１２２ａ  補給水口
２０２    外蓋
２１０    手洗い鉢
２１２    スパウト（手洗い吐水管）
２１２ａ  導水管接続部（手洗い吐水用導水管接続部）
２１４    手洗い鉢吐水口
２１６    手洗い鉢排水管
Ａ    収納部材の上面部の中心
ｄ１    導水管接続部本体の流路径
ｄ２    スパウトの上流側端部の流路径
Ｒ    内部領域
ＷＬ１  満水水位
ＷＬ２  止水水位
【図１】
0005641495.tif 000002
【図２】
0005641495.tif 000003
【図３】
0005641495.tif 000004
【図４】
0005641495.tif 000005
【図５】
0005641495.tif 000006
【図６】
0005641495.tif 000007
【図７】
0005641495.tif 000008
【図８】
0005641495.tif 000009
【図９】
0005641495.tif 000010
【図１０】
0005641495.tif 000011
【図１１】
0005641495.tif 000012
【図１２】
0005641495.tif 000013
【図１３】
0005641495.tif 000014